(57)【要約】【課題】後発医薬品の処方に関して有用な情報を提供すること。【解決手段】複数の医薬品のそれぞれに関する医薬品情報を記憶した記憶手段と、前記複数の医薬品のうちの先発医薬品と後発医薬品との関連情報を記憶した他の記憶手段とを参照し、該先発医薬品の医薬品情報と、前記後発医薬品の医薬品情報とに関する一致率を算出する一致率算出手順と、前記先発医薬品の指定を受け付ける受付手順と、前記他の記憶手段を参照し、前記指定された前記先発医薬品と関連する前記後発医薬品を特定する特定手順と、前記特定された前記後発医薬品について、前記一致率算出手順において算出される前記一致率を出力する出力手順とをコンピュータに実行させる。【選択図】図４
2011197944.tif 000002
【特許請求の範囲】
【請求項１】
複数の医薬品のそれぞれに関する医薬品情報を記憶した記憶手段と、前記複数の医薬品のうちの先発医薬品と後発医薬品との関連情報を記憶した他の記憶手段とを参照し、該先発医薬品の医薬品情報と、前記後発医薬品の医薬品情報とに関する一致率を算出する一致率算出手順と、
前記先発医薬品の指定を受け付ける受付手順と、
前記他の記憶手段を参照し、前記指定された前記先発医薬品と関連する前記後発医薬品を特定する特定手順と、
前記特定された前記後発医薬品について、前記一致率算出手順において算出される前記一致率を出力する出力手順と
をコンピュータに実行させる医薬品情報提供プログラム。
【請求項２】
前記医薬品情報は、前記複数の医薬品のそれぞれに関して測定された物理量情報と、該複数の医薬品のそれぞれに使用された物質に関する使用物質情報とを含む請求項１記載の医療情報提供プログラム。
【請求項３】
前記一致率算出手順は、前記物理量情報の項目ごとに、前記先発医薬品と前記後発医薬品との前記一致率に影響を与える度合いである第一の重み係数を記憶した物理量係数記憶手段と、前記複数の医薬品に使用される物質ごとに、第二の重み係数を記憶した使用物質係数記憶手段とを参照し、該先発医薬品及び該後発医薬品のそれぞれについて、前記物理量情報の各項目の値及び前記第一の重み係数と、前記使用物質の含有量及び前記第二の重み係数とを用いて前記一致率を算出する請求項２記載の医薬品情報提供プログラム。
【請求項４】
前記他の記憶手段に対する新たな後発医薬品の追加に応じ、当該新たな後発医薬品の前記物理量情報及び前記使用物質情報に基づいて、前記第一の重み係数及び前記第二の重み係数を変更する請求項３記載の医薬品情報提供プログラム。
【請求項５】
前記物理量情報は、前記医薬品の形状及び重さの少なくともいずれか一方を示す情報であり、
前記使用物質情報は、前記医薬品の添加物ごとの含有量を示す情報である請求項２乃至４いずれか一項記載の医薬品情報提供プログラム。
【請求項６】
複数の医薬品のそれぞれに関する医薬品情報を記憶した記憶手段と、前記複数の医薬品のうちの先発医薬品と後発医薬品との関連情報を記憶した他の記憶手段とを参照し、該先発医薬品の医薬品情報と、前記後発医薬品の医薬品情報とに関する一致率を算出する一致率算出手順と、
前記先発医薬品の指定を受け付ける受付手順と、
前記他の記憶手段を参照し、前記指定された前記先発医薬品と関連する前記後発医薬品を特定する特定手順と、
前記特定された前記後発医薬品について、前記一致率算出手順において算出される前記一致率を出力する出力手順と
をコンピュータが実行する医薬品情報提供方法。
【請求項７】
複数の医薬品のそれぞれに関する医薬品情報を記憶した記憶手段と、前記複数の医薬品のうちの先発医薬品と後発医薬品との関連情報を記憶した他の記憶手段とを参照し、該先発医薬品の医薬品情報と、前記後発医薬品の医薬品情報とに関する一致率を算出する一致率算出手段と、
前記先発医薬品の指定を受け付ける受付手段と、
前記他の記憶手段を参照し、前記指定された前記先発医薬品と関連する前記後発医薬品を特定する特定手段と、
前記特定された前記後発医薬品について、前記一致率算出手段において算出される前記一致率を出力する出力手段と
を有する医薬品情報提供装置。
【発明の詳細な説明】
【技術分野】
【０００１】
本発明は、医薬品情報提供プログラム、医薬品情報提供方法、及び医薬品情報提供装置に関し、特に後発医薬品に関する情報を提供する医薬品情報提供プログラム、医薬品情報提供方法、及び医薬品情報提供装置に関する。
【背景技術】
【０００２】
医薬品（先発医薬品）に関する特許権が消滅すると、当該特許権に係る発明を利用した後発医薬品の製造及び販売等が可能となる。しかし、日本では後発医薬品の普及が進んでいない。後発医薬品の普及が進まない理由の一つとして、医師等による、後発医薬品に対する不信感が挙げられる。
【０００３】
一般的に後発医薬品は、先発医薬品より安価であり、その普及は医療費の抑制の面からも望ましいとされている。そこで、従来、後発医薬品の普及を促進することを目的とした技術が提案されている（例えば、特許文献１）。
【先行技術文献】
【特許文献】
【０００４】
【特許文献１】特開２００６−２７７４５３号公報
【発明の概要】
【発明が解決しようとする課題】
【０００５】
特許文献１に記載された技術では、後発医薬品の使用頻度が後発医薬品に対する医師による不信感を取り除く材料として提供されるが、結果的に後発医薬品の普及は進んでいない。したがって、後発医薬品ついて、更に有用な情報の提供が必要であると考えられる。
【０００６】
本発明は、上記の点に鑑みてなされたものであって、後発医薬品の処方に関して有用な情報を提供することができる医薬品情報提供プログラム、医薬品情報提供方法、及び医薬品情報提供装置の提供を目的とする。
【課題を解決するための手段】
【０００７】
そこで上記課題を解決するため、医薬品情報提供プログラムは、複数の医薬品のそれぞれに関する医薬品情報を記憶した記憶手段と、前記複数の医薬品のうちの先発医薬品と後発医薬品との関連情報を記憶した他の記憶手段とを参照し、該先発医薬品の医薬品情報と、前記後発医薬品の医薬品情報とに関する一致率を算出する一致率算出手順と、前記先発医薬品の指定を受け付ける受付手順と、前記他の記憶手段を参照し、前記指定された前記先発医薬品と関連する前記後発医薬品を特定する特定手順と、前記特定された前記後発医薬品について、前記一致率算出手順において算出される前記一致率を出力する出力手順とをコンピュータに実行させる。
【発明の効果】
【０００８】
開示された技術によれば、後発医薬品の処方に関して有用な情報を提供することができる。
【図面の簡単な説明】
【０００９】
【図１】本発明の実施の形態における医薬品情報提供システムの構成例を示す図である。
【図２】本発明の実施の形態における医薬品情報提供サーバのハードウェア構成例を示す図である。
【図３】本発明の実施の形態における医薬品情報提供システムの機能構成例を示す図である。
【図４】先発医薬品と後発医薬品との一致率の出力処理の処理手順を説明するためのフローチャートである。
【図５】医薬品ＤＢの構成例を示す図である。
【図６】検索結果画面の表示例を示す図である。
【図７】添加物ＤＢの構成例を示す図である。
【図８】剤形ＤＢの構成例を示す図である。
【図９】比較画面の表示例を示す図である。
【図１０】添加物係数ＤＢの構成例を示す図である。
【図１１】剤形係数ＤＢの構成例を示す図である。
【図１２】一致率表示画面の表示例を示す図である。
【図１３】新たな後発医薬品の登録処理の処理手順を説明するためのフローチャートである。
【図１４】類似薬群の添加物情報の検索結果の例を示す図である。
【図１５】類似薬群の剤形情報の検索結果の例を示す図である。
【図１６】後発医薬品の検索処理の変形例を説明するためのフローチャートである。
【図１７】患者ＤＢの構成例を示す図である。
【発明を実施するための形態】
【００１０】
以下、図面に基づいて本発明の実施の形態を説明する。図１は、本発明の実施の形態における医薬品情報提供システムの構成例を示す図である。同図の医薬品情報提供システム１において、医薬品情報提供サーバ１０、データ管理サーバ２０、及び利用者端末３０等は、ＬＡＮ（Local Area Network）又はインターネット等のネットワーク４０（有線又は無線の別は問わない。）によって接続されている。
【００１１】
医薬品情報提供サーバ１０は、主として、先発医薬品と後発医薬品と関する比較検討材料として有用な情報を利用者端末３０に提供するための処理を実行するコンピュータである。具体的には、先発医薬品の物理量（剤形等）及び使用物質と、後発医薬品の物理量及び使用物質とがどの程度一致しているか（類似又は近似しているか）を示す指標値を算出し、当該指標値を利用者端末３０に提供する。なお、本実施の形態において、当該指標値を「一致率」と呼ぶ。但し、当該指標値の呼称は、一致度、類似度、又は近似度等であってもよい。
【００１２】
データ管理サーバ２０は、医薬品情報提供サーバ１０が利用する各種データを管理するコンピュータである。
【００１３】
利用者端末３０は、例えば、病院における医師等、医薬品を処方又は提供等するものがユーザとして利用するコンピュータである。
【００１４】
なお、データ管理サーバ２０は、インターネット等の広域的なネットワークを介して、それぞれ異なる医療機関に属する複数の医薬品情報提供サーバ１０と接続されてもよい。そうすることにより、複数の医療機関において情報共有をすることができる。反対に、医薬品情報提供サーバ１０が、データ管理サーバ２０の機能を兼ねてもよい。
【００１５】
図２は、本発明の実施の形態における医薬品情報提供サーバのハードウェア構成例を示す図である。図２の医薬品情報提供サーバ１０は、それぞれバスBで相互に接続されているドライブ装置１００と、補助記憶装置１０２と、メモリ装置１０３と、ＣＰＵ１０４と、インタフェース装置１０５とを有する。
【００１６】
医薬品情報提供サーバ１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。但し、プログラムのインストールは必ずしも記録媒体１０１より行う必要はなく、ネットワークを介して他のコンピュータよりダウンロードするようにしてもよい。補助記憶装置１０２は、インストールされたプログラムを格納すると共に、必要なファイルやデータ等を格納する。
【００１７】
メモリ装置１０３は、プログラムの起動指示があった場合に、補助記憶装置１０２からプログラムを読み出して格納する。ＣＰＵ１０４は、メモリ装置１０３に格納されたプログラムに従って医薬品情報提供サーバ１０に係る機能を実行する。インタフェース装置１０５は、ネットワークに接続するためのインタフェースとして用いられる。
【００１８】
図３は、本発明の実施の形態における医薬品情報提供システムの機能構成例を示す図である。
【００１９】
同図において、データ管理サーバ２０は、医薬品ＤＢ２１、添加物ＤＢ２２、剤形ＤＢ２３、添加物係数ＤＢ２４、剤形係数ＤＢ２５、及び患者ＤＢ２６等を有する。
【００２０】
医薬品ＤＢ２１は、医薬品ごとに属性情報（医薬品情報）を記憶するデータベースである。本実施の形態では、医薬品ＤＢ２１において、先発医薬品と後発医薬品との関連情報が管理されている。添加物ＤＢ２２は、医薬品ごとに当該医薬品が使用している添加物の含有量を示す情報（添加物情報）を記憶するデータベースである。剤形ＤＢ２３は、医薬品ごとに当該医薬品の物理量（剤形及び重さ等）を示す情報（剤形情報）を記憶するデータベースである。添加物係数ＤＢ２４は、先発医薬品と後発医薬品との一致率の算出おいて使用される、各添加物に対する重み係数を記憶するデータベースである。剤形係数ＤＢ２５は、先発医薬品と後発医薬品との一致率の算出おいて使用される、剤形情報の各項目（パラメータ）に対する重み係数を記憶するデータベースである。重み係数は、一致率に影響を与える度合いを示す係数である。患者ＤＢ２６は、各患者に関する情報を記憶するデータベースである。なお、各データベースは、データ管理サーバ２０の記憶装置を用いてそれぞれの管理対象の情報を記憶する。
【００２１】
医薬品情報提供サーバ１０は、要求受付部１１、後発医薬品検索部１２、比較情報取得部１３、一致率算出部１４、使用頻度算出部１５、出力部１６、登録部１７、及び係数更新部１８等を有する。これら各部は、医薬品情報提供サーバ１０にインストールされたプログラムがＣＰＵ１０４に実行させる処理によって実現される。
【００２２】
要求受付部１１は、利用者端末３０からの要求を受け付ける（受信する）。後発医薬品検索部１２は、特定手段の一例であり、利用者端末３０からの後発医薬品の検索要求において指定された先発医薬品に対する後発医薬品を医薬品ＤＢ２１より検索（特定）する。比較情報取得部１３は、比較対象とされた先発医薬品と後発医薬品との比較情報として、それぞれの添加物情報及び剤形情報を添加物ＤＢ２２又は剤形ＤＢ２３より検索する。一致率算出部１４は、比較対象とされた先発医薬品と後発医薬品との一致率を算出する。使用頻度算出部１５は、比較対象とされた後発医薬品の使用頻度を算出する。出力部１６は、要求受付部１１によって受け付けられた要求に対する応答を利用者端末２０に対して返信（出力）する。登録部１７は、データ管理サーバ２０に対する新たな医薬品の登録処理を実行する。係数更新部１８は、後発医薬品の登録に応じ、当該後発医薬品の添加物情報及び剤形情報に基づいて、添加物係数ＤＢ２４及び剤形係数ＤＢ２５における各重み係数を更新する。
【００２３】
利用者端末３０は、クライアント部３１を有する。クライアント部３１は、ユーザインタフェース（画面等）を利用者端末３０に表示させ、当該ユーザインタフェースを介して入力される操作指示に応じた要求を医薬品情報提供サーバ１０に送信する。
【００２４】
以下、医薬品情報提供サーバの処理手順について説明する。図４は、先発医薬品と後発医薬品との一致率の出力処理の処理手順を説明するためのフローチャートである。
【００２５】
ステップＳ１０１において、医薬品情報提供サーバ１０の要求受付部１１は、或る医薬品（先発医薬品）の識別情報が指定された後発医薬品の検索要求を利用者端末３０のクライアント部３１より受け付ける（受信する）。なお、本実施の形態では、医薬品の名前（薬剤名）を医薬品の識別情報として利用する。但し、他のＩＤ等が医薬品の識別情報として利用されてもよい。
【００２６】
ステップＳ１０１における検索要求は、例えば、利用者端末３０のクライアント部３１が、利用者端末３０に表示させている画面に対するユーザ（例えば、医師等）による薬剤名の入力に応じてクライアント部３１より送信される。
【００２７】
続いて、後発医薬品検索部１２は、検索要求において指定された薬剤名に係る医薬品情報と、当該薬剤名に係る医薬品の後発医薬品の医薬品情報とを医薬品ＤＢ２１より検索する（Ｓ１０２）。
【００２８】
図５は、医薬品ＤＢの構成例を示す図である。同図において、医薬品ＤＢ２１は、医薬品ごとに、薬剤名、メーカー、先発医薬品、使用実績、更新日付、及び一致率等を医薬品情報として記憶する。薬剤名は、医薬品の名前である。メーカーは、医薬品を製造した薬品メーカーの名前である。先発医薬品は、医薬品が後発医薬品である場合に、先発医薬品の薬剤名が登録される項目である。すなわち、当該項目が先発医薬品と後発医薬品との関連情報の一例である。使用実績は、医薬品の使用実績数（処方回数）である。更新日付は、レコードの内容が更新された日付である。例えば、使用実績や一致率の更新に応じて更新日付は更新される。一致率は、医薬品が後発医薬品である場合に、先発医薬品との一致率が記録される項目である。
【００２９】
ステップＳ１０２では、検索要求において指定された薬剤名と、「薬剤名」が一致するレコードと、「先発医薬品」が一致するレコードとが医薬品ＤＢ２１より検索される。すなわち、当該薬剤名に基づいて後発医薬品が特定される。
【００３０】
続いて、出力部１６は、後発医薬品検索部１２によって検索されたレコードの一覧を検索結果としてクライアント部３１に返信する（Ｓ１０３）。クライアント部３１は、返信された検索結果に基づいて、検索結果画面を利用者端末３０に表示させる。
【００３１】
図６は、検索結果画面の表示例を示す図である。同図において、検索結果画面３１０は、検索結果一覧テーブル３１１、比較結果表示ボタン３１２、及び頻度情報表示ボタン３１３等を有する。
【００３２】
検索結果一覧テーブル３１１には、検索結果の一覧が表示される。検索結果一覧テーブル３１１において、１行目には先発医薬品の情報が、２行目以降に後発医薬品の情報が表示される。比較結果表示ボタン３１２は、先発医薬品と、検索結果一覧テーブル３１１において選択状態にある後発医薬品との比較情報を表示させるためのボタンである。すなわち、検索結果一覧テーブル３１１において、一又は複数の後発医薬品が選択され、比較結果表示ボタン３１２が押下されると、クライアント部３１は、先発医薬品の薬剤名と、選択された後発医薬品の薬剤名とを指定して、比較要求を医薬品情報提供サーバ１０に送信する。
【００３３】
ステップＳ１０４において、要求受付部１１は、当該比較要求を受信する。続いて、比較情報取得部１３は、比較要求において薬剤名が指定された先発医薬品及び後発医薬品について、添加物ＤＢ２２及び剤形ＤＢ２３より比較対象とする情報（比較情報）を検索する。
【００３４】
図７は、添加物ＤＢの構成例を示す図である。同図において、添加物ＤＢ２２は、各医薬品の所定量（一錠又は各医薬品で共通の単位量）あたりの、各種添加物の含有量（ｍｇ）を記憶する。同図では、医薬品が含有していない添加物については空欄となっているが、「０」（零）が記録されていてもよい。
【００３５】
なお、添加物は、添加剤とも呼ばれ、有効成分以外であって、医薬品に使用されている物質をいう。日本薬学会の薬学用語解説によれば、添加物は、製剤化を容易にする、品質の安定化を図る、有用性を高めるなどの目的で医薬品に添加される物質である。用途により、賦形剤、安定剤、保存剤、緩衝剤、矯味剤、懸濁化剤、乳化剤、着香剤、溶解補助剤、着色剤、粘稠剤などと呼ばれる。これらの概念に含まれない物質であっても、有効成分以外であって、医薬品に使用されている物質であれば、添加物ＤＢ２２の管理対象とされてもよい。なお、有効成分を添加物ＤＢ２２の管理対象としていないのは（すなわち、一致率の計算要素とされないのは）、本来的に、後発医薬品は先発医薬品と同じ有効成分を含有するものであり、その差異を比較する意義は低いと考えられるからである。但し、有効成分が登録された形態を排除する趣旨ではない。
【００３６】
また、図８は、剤形ＤＢの構成例を示す図である。同図において、剤形ＤＢ２３は、医薬品ごとに、薬剤名と、一錠あたりの重さ、一錠の直径、及び一錠の厚さ等の、医薬品に関して測定された物理量に関する情報（物理量情報）とを記憶する。各項目の意味は自明であるため省略する。なお、剤形ＤＢ２３において管理されている物理量のパラメータは一例である。したがって、重さ又は形状（直径、厚さ等）のいずれか一方が管理されていてもよいし、医薬品の物理量に関する他のパラメータが管理されてもよい。
【００３７】
続いて、出力部１６は、先発医薬品及び後発医薬品について添加物ＤＢ２２又は剤形ＤＢ２３より検索された情報をクライアント部３１に返信する（Ｓ１０６）。クライアント部３１は、返信された情報に基づいて、比較画面を利用者端末３０に表示させる。
【００３８】
図９は、比較画面の表示例を示す図である。同図において、比較画面３２０は、比較テーブル３２１及び一致率表示ボタン３２２等を有する。
【００３９】
比較結果テーブル３２１には、左の列に先発医薬品（「ロキソニン」）に関する添加物情報及び剤形情報が表示され、右の列に、検索結果一覧テーブル３１１において選択された後発医薬品（「スリノフェン」）に関する添加物情報及び剤形情報が表示されている。添加物情報については、各添加物の名称だけでなく含有量も表示されるようにしてもよい。なお、同図の例では、相違する項目については強調表示されている。ユーザは、比較結果テーブル３２１を参照することにより、先発医薬品及び後発医薬品の一致点と相違点とを把握することができる。なお、複数の後発医薬品が比較対象として選択されたときは、比較結果テーブル３２１における後発医薬品の列を複数とすればよい。
【００４０】
比較画面３２０において、一致率表示ボタン３２１が押下されると、クライアント部３１は、比較結果テーブル３２１において表示対象とされている後発医薬品の薬剤名を指定して、一致率の算出要求を医薬品情報提供サーバ１０に送信する。
【００４１】
ステップＳ１０７において、要求受付部１１は、当該算出要求を受信する。続いて、一致率算出部１４は、医薬品ＤＢ２１を参照して、当該算出要求に薬剤名が指定されている後発医薬品の一致率は、過去に算出されているか否かを判定する（Ｓ１０８）。すなわち、過去に一致率が算出されている場合、医薬品ＤＢ２１の「一致率」の項目に過去の算出結果が記録されている。したがって、ステップＳ１０８では、当該後発医薬品について、医薬品ＤＢ２１の「一致率」に値が記録されているか否かが判定される。
【００４２】
当該後発医薬品について、医薬品ＤＢ２１に一致率が記録されていない場合（Ｓ１０８でＮｏ）、一致率算出部１４は、当該後発医薬品について、以下の式（１）を用いて先発医薬品との一致率を算出する（Ｓ１０９）。
一致率＝｛(後発医薬品の添加物の指標値)／(先発医薬品の添加物の指標値)＋(後発医薬品の剤形の指標値)／(先発医薬品の剤形の指標値)｝／２  ・・・  （１）
【００４３】
ここで、各医薬品（先発医薬品又は後発医薬品）の添加物の指標値は、以下の式（２）によって算出される。
添加物の指標値＝Σαｉ×ωｉ  ・・・  （２）
αｉ：添加物ｉの重み係数
ωｉ：添加物ｉの含有量
【００４４】
また、各医薬品の剤形の指標値は、以下の式（３）によって算出される。
剤形の指標値＝βｗ×重さｊ+ βｄ×直径ｊ+ βｔ×厚さｊ  ・・・  （３）
βｗ：重さに対する重み係数
重さｊ：医薬品ｊの重さ
βｄ：直径に対する重み係数
直径ｊ：医薬品ｊの直径
βｔ：厚さに対する重み係数
厚さｊ：医薬ｊの厚さ
【００４５】
上記各重み係数は、添加物係数ＤＢ２４又は剤形係数ＤＢ２５に予め登録されている。
【００４６】
図１０は、添加物係数ＤＢの構成例を示す図である。同図に示されるように、添加物係数ＤＢ２４には、添加物ＤＢ２２に登録されている添加物ごとに重み係数が記録されている。
【００４７】
また、図１１は、剤形係数ＤＢの構成例を示す図である。同図に示されるように、剤形係数ＤＢ２５には、剤形のパラメータ（剤形項目）ごとに重み係数が記録されている。
【００４８】
なお、添加物係数ＤＢ２４及び剤形係数ＤＢ２５は、同一の医薬品を先発医薬品とする後発医薬品と当該先発医薬品との集合（以下、「類似薬群」という。）ごとに、作成されるのが望ましい。特に、添加物の重み付けは、類似薬群ごとに異なりうるからである。具体的には、類似薬群Ａにおいて使用頻度の高い添加物であっても、類似薬群Ｂにおいては使用頻度が低い場合がある。この場合、当該添加物の重み付けは、類似薬群Ｂにおいて高くされるのが妥当であると考えられる。
【００４９】
上記より、ステップＳ１０９において、一致率算出部１４は、一致率の算出要求に指定された後発医薬品の薬剤名に基づいて、医薬品ＤＢ２１を参照して当該後発医薬品の先発医薬品を特定する。但し、当該先発医薬品の薬剤名は、一致率の算出要求に含まれていてもよい。続いて、一致率算出部１４は、当該先発医薬品及び当該後発医薬品のそれぞれの添加物情報を添加物ＤＢ２２より取得する。続いて、一致率算出部１４は、取得された添加物情報に含まれている各添加物の重み係数を添加物係数ＤＢ２４より取得する。一致率算出部１４は、添加物情報と、取得された重み係数とに基づいて、当該先発医薬品及び当該後発医薬品のそれぞれについて、添加物の指標値を式（２）を用いて算出する。続いて、一致率算出部１４は、当該先発医薬品及び当該後発医薬品のそれぞれの剤形情報を剤形ＤＢ２３より取得する。続いて、一致率算出部１４は、各剤形項目に対する重み係数を剤形係数ＤＢ２５より取得する。一致率算出部１４は、剤形情報と、取得された重み係数とに基づいて、当該先発医薬品及び当該後発医薬品のそれぞれについて、剤形の指標値を式（３）を用いて算出する。続いて、一致率算出部１４は、当該先発医薬品の添加物の指標値及び剤形の指標値、並びに当該後発医薬品の添加物の指標値及び剤形の指標値を式（１）に当てはめて一致率を算出する。一致率算出部１４は、算出された一致率を、当該後発医薬品に対応付けて医薬品ＤＢ２１に記録する。
【００５０】
具体的に、先発医薬品「ロキソニン」と後発医薬品「スリノフェン」との一致率を、図７の添加物ＤＢ２２、図８の剤形ＤＢ２３、図１０の添加物係数ＤＢ２４、及び図１１の剤形係数ＤＢ２５に基づいて算出する。まず、各医薬品の添加物の指標値及び剤形の指標値は、以下のように算出される。
【００５１】
ロキソニンの添加物の指標値＝５０×０．０３＋５０×０．０３＋５０×０．０３＋４０×０．０３＝５．７
ロキソニンの剤形の指標値＝２５０×０．０５＋９．１×０．３＋３．３×０．５＝１６．８８
ロキソニンの添加物の指標値＝６０×０．０３＋６０×０．０３＋６０×０．０３＋５０×０．０３＋１０×０．０７＝７．６
ロキソニンの剤形の指標値＝３００×０．０５＋９．０×０．３＋３．９×０．５＝１９．６５
【００５２】
したがって、先発医薬品「ロキソニン」と後発医薬品「スリノフェン」との一致率は、以下の通りである。
【００５３】
一致率＝（５．７÷７．６＋１６．８８÷１９．６５）÷２＝０．８０（８０％）
一方、一致率の算出要求に薬剤名が指定された後発医薬品について、医薬品ＤＢ２１に既に一致率が記録されている場合、一致率算出部１４は、医薬品ＤＢ２１より当該一致率を取得する（Ｓ１１１）。但し、一致率は、必ずしも医薬品ＤＢ２１に記録されなくてもよい。一致率の算出要求に応じて毎回算出されてもよい。
【００５４】
続いて、出力部１６は、算出された又は医薬品ＤＢ２１より取得された一致率、並びに先発医薬品及び後発医薬品のそれぞれの薬剤名をクライアント部３１に返信（出力）する（Ｓ１１１）。クライアント部３１は、返信された一致率及び薬剤名に基づいて一致率表示画面を利用者端末３０に表示させる。
【００５５】
図１２は、一致率表示画面の表示例を示す図である。同図において、一致率表示画面３３０には、後発医薬品のスリノフェンについて、先発医薬品のロキソニンとの一致率が８０％であることを示すメッセージが表示されている。ユーザは、一致率表示画面３３０を参照することで、スリノフェンの処方の是非を判断するための有効な判断材料を得ることができる。
【００５６】
なお、図４では、選択された後発医薬品について一致率を提示（表示）させる例について説明したが、図６の検索結果画面３１０において、全ての後発医薬品に関して一致率を表示させるようにしてもよい。この場合、ステップＳ１０２とＳ１０３との間において、一致率算出部１４は、各後発医薬品に関して一致率を算出すればよい。その場合、比較画面３２０は、一致率の要因を確認するための画面としての意義を有する。
【００５７】
ところで、検索結果画面３１０において、頻度情報表示ボタン３１３が押下されると、選択されている後発医薬品について使用頻度算出部１５によって使用頻度情報（使用されている割合）が算出され、当該使用品度情報が利用者端末３０に表示される。当該使用頻度情報は、医薬品ＤＢ２１の使用実績に基づいて算出されればよい。例えば、当該後発医薬品に係る類似薬群の使用実績の総和によって、当該後発医薬品の使用実績を除した値が使用頻度情報とされればよい。
【００５８】
なお、複数の後発医薬品が比較対象とされている場合、一致率の算出要求に応じ、一致率と共に使用頻度情報をも算出し、出力部１６は、当該一致率と当該使用頻度情報とに基づいて、検索結果画面３１０又は一致率表示画面３３０における表示順を変更させるようにしてもよい。例えば、一致率と使用頻度情報との積又は和に基づいて表示順が決定されてもよいし、他の演算によって表示順が決定されてもよい。また、一致率のみに基づいて表示順が決定されてもよい。
【００５９】
次に、新たに後発医薬品が登録される際に、医薬品情報提供サーバ１０が実行する処理について説明する。
【００６０】
図１３は、新たな後発医薬品の登録処理の処理手順を説明するためのフローチャートである。
【００６１】
ステップＳ２０１において、要求受付部１１は、後発医薬品の登録要求を受け付ける。なお、後発医薬品の登録指示は、利用者端末３０において入力されてもよいし、医薬品情報提供サーバ１０において入力されてもよい。当該登録指示において、登録対象の後発医薬品について、医薬品ＤＢ２１に登録される医薬品情報、添加物情報、及び剤形情報等が指定される。
【００６２】
続いて、登録部１７は、登録指示に指定されている医薬品情報を医薬品ＤＢ２１に新規登録する（Ｓ２０２）。続いて、登録部１７は、登録指示に指定されている添加物情報及び剤形情報を、添加物ＤＢ２２又は剤形ＤＢ２３に登録する（Ｓ２０３）。続いて、係数更新部１８は、登録対象の後発医薬品に係る類似薬群に含まれる各医薬品の薬剤名を医薬品ＤＢ２１より検索する（Ｓ２０４）。すなわち、当該後発医薬品の先発医薬品の薬剤名と、当該先発医薬品の各後発医薬品の薬剤名とが検索される。
【００６３】
続いて、係数更新部１８は、検索された薬剤名に基づいて、当該類似薬群に含まれる各医薬品の添加物情報を添加物ＤＢ２２より検索する（Ｓ２０５）。
【００６４】
図１４は、類似薬群の添加物情報の検索結果の例を示す図である。同図には、ロキソニンを先発医薬品とする類似薬群について添加物情報が検索された例が示されている。新たに登録されたのは、薬剤名が「後発医薬品Ａ」である医薬品である。
【００６５】
続いて、係数更新部１８は、当該類似薬群に関する添加物係数ＤＢ２４の重み係数を更新する（Ｓ２０６）。具体的には、新たに登録された後発医薬品において使用されている添加物であって、当該類似薬群に含まれる他の医薬品においても使用されている添加物の重み係数が小さくされる。当該類似薬群において、当該添加物の希少性が低下したからである。換言すれば、当該類似薬群において、当該添加物が使用される可能性は高くなり、当該添加物の一般性が高まったからである。低下させる程度は、所定のものに限定されない。例えば、元の値に０．９を乗じる等、所定の割合が減じられてもよいし、当該添加物の使用割合に基づいて低下幅が決定されてもよい。使用割合とは、当該類似薬群において、当該添加物を使用している医薬品の割合である。なお、当該添加物の重み係数が低下するということは、当該添加物以外の添加物の重み係数が相対的に高くなることをも意味する。
【００６６】
一方、新たに登録された後発医薬品のみによって使用されている添加物については、既定値（例えば、０．１）が重み係数として与えられる。具体的には、当該添加物のレコードが添加物係数ＤＢ２４に追加され、当該レコードの重み係数に当該既定値が記録される。
【００６７】
なお、希少性が低下した添加物の重み係数を低下させるのではなく、希少性が高まった添加物の重み係数を高くするようにしてもよい。
【００６８】
続いて、係数更新部１８は、ステップＳ２０４において検索された薬剤名に基づいて、当該類似薬群に含まれる各医薬品の剤形情報を剤形ＤＢ２３より検索する（Ｓ２０７）。
【００６９】
図１５は、類似薬群の剤形情報の検索結果の例を示す図である。同図には、ロキソニンを先発医薬品とする類似薬群について剤形情報が検索された例が示されている。新たに登録されたのは、薬剤名が「後発医薬品Ａ」である医薬品である。
【００７０】
続いて、係数更新部１８は、当該類似薬群に関する剤形係数ＤＢ２５の重み係数を更新する（Ｓ２０８）。具体的には、当該類似薬群に含まれる医薬品間において、差異の小さい剤形項目の重み係数は小さくされる。例えば、剤形項目ごとに標準偏差を算出し、標準偏差が所定値以下である（すなわち、ばらつきが小さい）剤形項目の重み係数を小さくするようにしてもよい。または、剤形項目ごとに類似薬群の平均値を算出し、後発医薬品の値と当該平均値との差異が所定値以下である剤形項目の重み係数を小さくするようにしてもよい。低下幅については、所定の割合としてもよいし、標準偏差の値又は平均値との差等に応じて変化させてもよい。
【００７１】
なお、当該類似薬群に含まれる医薬品間において、差異の大きい重み係数を大きくするようにしてもよい。
【００７２】
続いて、一致率算出部１４は、当該類似薬群に含まれる後発医薬品のうち、医薬品ＤＢ２１に一致率が登録されている後発医薬品について、更新後の重み係数に基づいて一致率を算出し、算出結果によって医薬品ＤＢ２１の一致率を更新する（Ｓ２０９）。なお、医薬品ＤＢ２１において一致率を保持しない場合は、当該ステップは不要である。
【００７３】
このように、各添加物及び各剤形項目の重み係数は、類似薬群に含まれる医薬品の添加物情報又は剤形情報に応じて、一致率への影響の大小が考慮されて更新される。その結果、一致率の妥当性が担保される。
【００７４】
ところで、医薬品の服用者（患者）の所定の物質に対するアレルギーの有無を考慮して、図４のステップＳ１０１〜Ｓ１０３の処理手順を図１６に示されるように変形してもよい。
【００７５】
図１６は、後発医薬品の検索処理の変形例を説明するためのフローチャートである。同図において、図４に対応するステップには同一ステップ番号を付している。
【００７６】
ステップＳ１０１において、要求受付部１１は、後発医薬品の検索要求を受信する。当該検索要求には、先発医薬品の薬剤名の他に患者の識別情報（本実施の形態では、患者名）が含まれている。
【００７７】
続いて、後発医薬品検索部１２は、検索要求において指定された薬剤名に係る医薬品情報と、当該薬剤名に係る医薬品の後発医薬品の医薬品情報とを医薬品ＤＢ２１より検索する（Ｓ１０２−１）。続いて、後発医薬品検索部１２は、当該検索要求において指定された患者名に基づいて、当該患者のアレルゲンを患者ＤＢ２６より取得する（Ｓ１０２−２）。
【００７８】
図１７は、患者ＤＢの構成例を示す図である。同図において、患者ＤＢ２６は、患者ごとに、患者名、生年月日、及び住所等の属性情報と、アレルゲンとを記憶する。アレルゲンは、患者がアレルギーを有する物質名（本実施の形態では薬剤名）である。
【００７９】
続いて、後発医薬品検索部１２は、ステップＳ１０２−１において検索された医薬品の中に、ステップＳ１０２−２で取得されたアレルゲンと薬剤名が一致する医薬品が有るか否かを判定する（Ｓ１０２−３）。該当する医薬品が有る場合（Ｓ１０２−３でＹｅｓ）、後発医薬品検索部１２は、検索結果における当該医薬品に関する情報に対して、患者のアレルゲンであることを示すフラグ情報を付加する（Ｓ１０２−４）。
【００８０】
続いて、出力部１６は、検索結果をクライアント部３１に返信する（Ｓ１０３）。クライアント部３１は、返信された検索結果に基づいて、検索結果画面３１０（図６）を利用者端末３０に表示させる。この際、クライアント部３１は、フラグ情報が付加されている医薬品の医薬品情報については、検索結果一覧テーブル３１１において選択不能として（グレーアウトして）表示させる。その結果、患者がアレルギーを有する医薬品が処方されてしまうといった事態の発生を回避することができる。特に、当該医薬品が先発医薬品である場合、後発医薬品の処方を促進することができる。
【００８１】
なお、ステップＳ１０２−４において、後発医薬品検索部１２は、該当する医薬品を検索結果から除去するようにしてもよい。その結果、当該医薬品は、検索一覧テーブル３１１には表示されなくなる。
【００８２】
上述したように、本実施の形態によれば、先発医薬品の添加物情報（使用物質情報）及び剤形情報（物理量情報）と、後発医薬品の添加物情報（使用物質情報）及び剤形情報（物理量情報）とについて一致率を算出し、当該一致率を出力することができる。ここで、添加物や剤形は、医薬品の効き目に影響しうる要因である。換言すれば、有効成分が同じであったとしても、添加物又は剤形等が異なっていれば、医薬品の溶解速度や有効成分の分解速度等が相違し、結果として、医薬品の効き目は異なりうる。したがって、添加物情報及び剤形情報に基づく一致率を提供することで、後発医薬品の処方に関して（後発医薬品を処方すべきか否かに関して）有用な情報を提供することができる。
【００８３】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【００８４】
１            医薬品情報提供システム
１０          医薬品情報提供サーバ
１１          要求受付部
１２          後発医薬品検索部
１３          比較情報取得部
１４          一致率算出部
１５          使用頻度算出部
１６          出力部
１７          登録部
１８          係数更新部
２０          データ管理サーバ
２１          医薬品ＤＢ
２２          添加物ＤＢ
２３          剤形ＤＢ
２４          添加物係数ＤＢ
２５          剤形係数ＤＢ
２６          患者ＤＢ
３０          利用者端末
３１          クライアント部
１００        ドライブ装置
１０１        記録媒体
１０２        補助記憶装置
１０３        メモリ装置
１０４        ＣＰＵ
１０５        インタフェース装置
Ｂ            バス
【図１】
2011197944.tif 000003
【図２】
2011197944.tif 000004
【図３】
2011197944.tif 000005
【図４】
2011197944.tif 000006
【図５】
2011197944.tif 000007
【図６】
2011197944.tif 000008
【図７】
2011197944.tif 000009
【図８】
2011197944.tif 000010
【図９】
2011197944.tif 000011
【図１０】
2011197944.tif 000012
【図１１】
2011197944.tif 000013
【図１２】
2011197944.tif 000014
【図１３】
2011197944.tif 000015
【図１４】
2011197944.tif 000016
【図１５】
2011197944.tif 000017
【図１６】
2011197944.tif 000018
【図１７】
2011197944.tif 000019